(57)【要約】【課題】電気配線及び接着部材によるデザインの幅の制限を低減することが可能な照明パネルを提供する。【解決手段】本発明の一実施形態に係る照明パネル１は、光透過性を示す第１及び第２の基板１０，１２と、第１及び第２の基板の間に設けられる有機ＥＬ素子２０と、第１及び第２の基板の間において有機ＥＬ素子の周囲領域Ａを囲んで設けられ、第１及び第２の基板を接着する接着部材３０と、有機ＥＬ素子に接続される第１及び第２の配線４０，４２とを備え、有機ＥＬ素子２０は、第１の基板上に、光透過性を示す第１の電極層２１、発光材料を含む有機ＥＬ層２２、及び光反射性を示す第２の電極層２３がこの順に積層されてなり、第１の配線４０は、第１の電極層から接着部材に囲まれる領域の外に延在し、第２の配線４２は、第２の電極層から接着部材に囲まれる領域の外に延在し、第１及び第２の配線４０，４２のうちの周囲領域Ａに対応する部分、及び接着部材３０が光透過性を示す。【選択図】図４
2015164096.tif 000002
【特許請求の範囲】
【請求項１】
光透過性を示す第１の基板と、
前記第１の基板に対向して設けられる光透過性を示す第２の基板と、
前記第１及び第２の基板の間に設けられる有機ＥＬ素子と、
前記第１及び第２の基板の間において、前記有機ＥＬ素子の周囲領域を囲んで設けられ、前記第１及び第２の基板を接着する接着部材と、
前記有機ＥＬ素子に接続される第１及び第２の配線と
を備え、
前記有機ＥＬ素子は、前記第１の基板上に、光透過性を示す第１の電極層、発光材料を含む有機ＥＬ層、及び光反射性を示す第２の電極層がこの順に積層されてなり、
前記第１の配線は、前記第１の電極層から前記接着部材に囲まれる領域の外に延在し、
前記第２の配線は、前記第２の電極層から前記接着部材に囲まれる領域の外に延在し、
前記第１及び第２の配線のうちの前記周囲領域に対応する部分、及び、前記接着部材が、光透過性を示す、
照明パネル。
【請求項２】
前記第1の基板上において、前記接着部材の外周領域に設けられ、前記接着部材の外延に沿って延在し、前記第１及び第２の配線にそれぞれ接続され、前記第１及び第２の配線よりも低抵抗な材料を含む第１及び第２の補助電極を更に備える、請求項１に記載の照明パネル。
【請求項３】
前記第１及び第２の補助電極を覆う不透明なフレームを更に備える、請求項２に記載の照明パネル。
【請求項４】
前記第１及び第２の補助電極にそれぞれ接続された第１及び第２の外部引き出し配線を更に備え、
前記第１及び第２の外部引き出し配線は、前記フレーム内に配置され、前記フレームの１つの角部から外部へ取り出されている、
請求項３に記載の照明パネル。
【請求項５】
前記第２の基板上に設けられた光反射層を更に備える、請求項１〜４の何れか１項に記載の照明パネル。
【発明の詳細な説明】
【技術分野】
【０００１】
本発明は、有機ＥＬ（Electro Luminescence）素子を用いた照明パネルに関するものである。
【背景技術】
【０００２】
面光源である有機ＥＬ素子を利用した照明パネルが種々開発されている。有機ＥＬ素子を利用した照明パネルは、面光源を利用しているため、一般照明以外にも、間接照明、展示品をより良く見せるためのディスプレイ照明、及び夜間の屋内外の景観を演出する景観照明への用途が期待されている。特許文献１には、この種の照明パネルが開示されている。
【０００３】
特許文献１に記載の照明パネル１０は、有機ＥＬ素子部１２と、有機ＥＬ素子部１２を挟む透明基板１１と封止板１３と、有機ＥＬ素子部１２を封止するために、有機ＥＬ素子部１２の周囲領域において透明基板１１と封止板１３を接着する接着部材１３ｃと、有機ＥＬ素子部１２と外部電源とを接続する取り出し電極１５と、有機ＥＬ素子部１２及び透明基板１１と封止板１３の周囲領域に設けられた透明アクリル板２，３とを備えている。この照明パネル１０によれば、有機ＥＬ素子部１２及び透明基板１１と封止基板１３の周囲領域に設けられた透明アクリル板２，３が透明であり、デザイン性に優れた照明パネルを提供することができる。
【０００４】
また、特許文献１に記載の照明パネル１０では、積層方向から見たときに取り出し電極１５及び接着部材１３ｃが隠れるように、透明アクリル板２，３に目隠し用テープ２ｅ、３ｅが貼り付けられている。この照明パネル１０によれば、照明パネルの取り出し電極１５や接着部材１３ｃ等のデザイン性を損ねる領域（有機ＥＬ素子部１２の周囲領域）を目隠しテープ２ｅ、３ｅによって隠すことができ、デザイン性に優れた照明パネルを提供することができる。また、目隠しテープ２ｅ、３ｅとして金属色の光沢テープを用いることにより、更にデザイン性を向上することができる。
【先行技術文献】
【特許文献】
【０００５】
【特許文献１】特開２０１３−２１９１８４号公報
【発明の概要】
【発明が解決しようとする課題】
【０００６】
しかしながら、特許文献１に記載の照明パネルでは、照明パネルの取り出し電極１５や接着部材１３ｃ等の有機ＥＬ素子部１２の周囲領域を隠す目隠しテープ２ｅ、３ｅを、デザインの一部として考慮する必要があり、照明パネルのデザインの幅を狭めていた。
【０００７】
そこで、本発明は、電気配線及び接着部材によるデザインの幅の制限を低減することが可能な照明パネルを提供することを目的とする。
【課題を解決するための手段】
【０００８】
本発明の照明パネルは、光透過性を示す第１の基板と、第１の基板に対向して設けられる光透過性を示す第２の基板と、第１及び第２の基板の間に設けられる有機ＥＬ素子と、第１及び第２の基板の間において、有機ＥＬ素子の周囲領域を囲んで設けられ、第１及び第２の基板を接着する接着部材と、有機ＥＬ素子に接続される第１及び第２の配線とを備え、有機ＥＬ素子は、第１の基板上に、光透過性を示す第１の電極層、発光材料を含む有機ＥＬ層、及び光反射性を示す第２の電極層がこの順に積層されてなり、第１の配線は、第１の電極層から接着部材に囲まれる領域の外に延在し、第２の配線は、第２の電極層から接着部材に囲まれる領域の外に延在し、第１及び第２の配線のうちの周囲領域に対応する部分、及び、接着部材が、光透過性を示す。
【０００９】
この照明パネルによれば、第１及び第２の配線のうちの有機ＥＬ素子の周囲領域に対応する部分、及び、接着部材が光透過性を示すので、有機ＥＬ素子の周囲領域を全て透明にすることができる。したがって、電気配線及び接着部材を目隠しするための部材を設ける必要がなく、電気配線及び接着部材による照明パネルのデザインの幅の制限を低減することができる。
【００１０】
この照明パネルによれば、有機ＥＬ素子部から出射される光は有機ＥＬ素子の第１の電極層、第１の基板を通って外界に出射するため、以下では当該照明パネルにおいて、第１の基板側を発光面側、第２の基板側を裏面側ということがある。
【００１１】
ここで、有機ＥＬ素子の発光面側の電極には光透過性を示す電極が用いられるが、有機ＥＬ素子に電流を供給するための配線としては電気抵抗が小さい配線が用いられることが一般的である。このような電気抵抗の小さい配線は通常は不透明であるが、本願発明者らは、有機ＥＬ素子に電流を供給するための配線として、あえて電気抵抗が比較的に大きい光透過性を示す配線を用いることに着目している。
【００１２】
また、この照明パネルによれば、有機ＥＬ素子の第２の電極層には光反射性を示す電極層が用いられるので、発光時には照明パネルの裏面側が鏡面となり、発光面側は発光状態となる。他方、消光時には照明パネルの発光面側からも第２の電極層が鏡面として視認されるため、両面が鏡面となり、デザイン性に優れた照明パネルを提供することができる。
【００１３】
上記した照明ＥＬパネルは、第1の基板上において、接着部材の外周領域に設けられ、接着部材の外延に沿って延在し、第１及び第２の配線にそれぞれ接続され、第１及び第２の配線よりも低抵抗な材料を含む第１及び第２の補助電極を更に備える形態であってもよい。
【００１４】
第１及び第２の配線のうちの光透過性を示す部分は、比較的に大きい電気抵抗を有するので、電圧降下が大きくなる。この電圧降下によって、電力が供給される位置から離間するほど電圧が低下するため、それにともなって輝度が低下し、その結果、輝度むらが生じやすくなる。とくに有機ＥＬ素子の発光面積が大きくなるほど電圧降下の影響は大きくなる。
【００１５】
しかしながら、この構成によれば、接着部材の外周領域に設けられ、第１及び第２の配線にそれぞれ接続された第１及び第２の補助電極が、接着部材の外延に沿って延在し、第１及び第２の配線よりも低抵抗な材料を含むので、周囲領域の外延を略等電圧にし、周囲領域の外延から等方的に電力を供給することができ、その結果、輝度むらを低減することができる。
【００１６】
また、上記した照明ＥＬパネルは、第１及び第２の補助電極を覆う不透明なフレームを更に備える形態であってもよい。
【００１７】
第１及び第２の補助電極は、第１及び第２の配線よりも低抵抗なため、一般に第１及び第２の配線よりも光透過率が低く、そのため、この補助電極は照明パネルのデザイン性を損ねてしまう。
【００１８】
この構成によれば、第１及び第２の補助電極を不透明なフレームによって隠すことができ、デザイン性に優れた照明パネルを提供することができる。
【００１９】
また、上記した照明パネルは、第１及び第２の補助電極にそれぞれ接続された第１及び第２の外部引き出し配線を更に備え、第１及び第２の外部引き出し配線は、フレーム内に配置され、フレームの１つの角部から外部へ取り出されている形態であってもよい。
【００２０】
この構成によれば、デザイン性を損ねる第１及び第２の外部引き出し配線をフレームによって隠すことができ、デザイン性に優れた照明パネルを提供することができる。
【００２１】
更に、この構成によれば、第１及び第２の外部引き出し配線が、フレームの任意の箇所から自由に取り出すことができ、デザイン性に優れた照明パネルを提供することができる。
【００２２】
また、上記した照明パネルは、第２の基板上に設けられた光反射層を更に備える形態であってもよい。
【００２３】
この構成によれば、有機ＥＬ素子の第２の電極層の鏡面に加えて、光反射層の鏡面をも利用することにより、たとえば照明パネルの鏡面の対称性を容易に高めることができる。また、第１の基板、第２の基板および接着部材によって封止される空間内に、乾燥剤等を配置する場合、光反射層によって、乾燥剤を隠すことができる。また、接着部材をたとえばＵＶ硬化型の接着剤を用いて形成する場合、製造工程における接着部材の硬化のためのＵＶ照射による有機ＥＬ素子部（特に発光部）及び、乾燥剤の劣化を防止することができる。
【発明の効果】
【００２４】
本発明によれば、電気配線及び接着部材によるデザインの幅の制限を低減することができる。
【図面の簡単な説明】
【００２５】
【図１】本発明の実施形態に係る照明パネルを発光面側から示す図である。
【図２】本発明の実施形態に係る照明パネルを裏面側から示す図である。
【図３】図１に示す照明パネルにおいてフレームを省略して電気配線を詳細に示す図である。
【図４】図１に示す照明パネルのＩＶ−ＩＶ線に沿った断面構成を示す図である。
【発明を実施するための形態】
【００２６】
以下、添付図面を参照しながら本発明の実施形態を詳細に説明する。なお、図面の説明において同一の要素には同一の符号を付し、重複する説明を省略する。
【００２７】
図１は、本発明の実施形態に係る照明パネルを発光面側から示す図であり、図２は、本発明の実施形態に係る照明パネルを裏面側から示す図である。また、図３は、図１に示す照明パネルにおいてフレームを省略して電気配線を詳細に示す図である。また、図４は、図１に示す照明パネルのＩＶ−ＩＶ線に沿った断面構成を示す図である。
【００２８】
図１〜図４に示すように、照明パネル１は、第１及び第２の基板１０，１２と、光反射層１４と、有機ＥＬ素子２０と、接着部材３０と、乾燥剤３２と、陽極用配線（第１の配線）４０と、陰極用配線（第２の配線）４２と、陽極用補助電極（第１の補助電極）５０と、陰極用補助電極（第２の補助電極）５２と、陽極用配線基板６０と、陰極用配線基板６２と、陽極用外部引き出し配線（第１の外部引き出し配線）７０と、陰極用外部引き出し配線（第２の外部引き出し配線）７２と、フレーム８０とを備えている。
【００２９】
第１の基板１０は、照明パネル１の発光面側に配置されており、第２の基板１２は、照明パネル１の裏面側に配置されている。第１及び第２の基板１０，１２は、光透過性を示す基板からなる。第１及び第２の基板１０，１２には、可撓性を示す基板またはリジットな基板が用いられ、たとえばガラス基板、樹脂基板などが用いられる。本実施形態では、第１及び第２の基板１０，１２は、ガラス基板からなり、例えば正方形状の平板をなしている。第１の基板１０と第２の基板１２との間には、有機ＥＬ素子２０が配置されている。
【００３０】
なお本明細書において、「光透過性を示す」所定の部材は、当該所定の部材の全光線透過率が３０％以上の部材を意味する。また「光反射性を示す」所定の部材は、当該所定の部材の全光線反射率が７０％以上の部材を意味する。
【００３１】
有機ＥＬ素子２０は、陽極層（第１の電極層）２１と、有機ＥＬ層２２と、陰極層（第２の電極層）２３とを有しており、これらの陽極層２１、有機ＥＬ層２２及び陰極層２３は、第１の基板１０上に順に積層されている。第１の電極層（本実施形態では陽極層２１）は、光透過性を示す電極であればとくに限定されず、ＩＴＯ（Tin-doped Indium Oxide）、ＩＺＯ（indium zinc oxide）等の比較的透明な材料からなる導電性金属酸化物薄膜、または、Ａｕ，Ａｇなどの金属を、光透過性を示す程度に薄膜化した導電性薄膜が用いられる。また、薄膜上に、薄膜よりも低抵抗になるように膜厚を調整した材料を補助メッシュ電極として格子状に配置してもよい。また、格子状の補助メッシュ電極上に絶縁膜を形成してもよい。絶縁膜はポリイミドなどの有機物、或いは金属酸化物、シリコン酸化物、窒化物などでもよい。有機ＥＬ層２２は、低分子型、高分子型など、種々の公知の発光材料を含む。第２の電極層（本実施形態では陰極層２３）は、光反射性を示す電極であればとくに限定されず、たとえば金属材料などの導電性材料からなり、例えば薄膜形成技術により形成された鏡面を有する電極が用いられる。この有機ＥＬ素子２０の発光面側又は裏面側からみた周囲領域Ａの周縁に、接着部材３０が設けられている。
【００３２】
なお、他の実施形態として、第１の電極層が陰極層、第２の電極層が陽極層として機能する有機ＥＬ素子を設けてもよい。
【００３３】
接着部材３０は、有機ＥＬ素子２０の周囲領域Ａを囲んで設けられる。すなわち接着部材３０は、有機ＥＬ素子２０の周囲を周回して配置され、第１の基板１０と第２の基板１２とを接着する。これにより、有機ＥＬ素子２０は封止され、大気中の酸素や水分から保護される。接着部材３０は、例えばエポキシ樹脂或いはその他の樹脂からなるＵＶ硬化樹脂、熱硬化樹脂、UV遅延硬化樹脂、２液混合硬化樹脂等の透明材料からなる。なお、本実施形態では、接着部材３０の外延が、前記周囲領域Ａの外延に概略一致する。なお、第１の基板１０と第２の基板１２との間の空間は、接着部材とは異なる光透過性を示す部材または接着部材と同じ部材によって充填されていてもよい。
【００３４】
有機ＥＬ素子２０と第２の基板１２との間には空間が設けられており、この空間には、乾燥剤３２が設けられていてもよい。これにより、有機ＥＬ素子２０を乾燥状態に保つことができる。
【００３５】
また、第２の基板１２の有機ＥＬ素子２０側には、光反射性を示す光反射層１４が設けられている。本実施形態では、第２の基板１２に垂直な方向から見て（以下、平面視という）、光反射層１４は、有機ＥＬ素子２０を覆う位置に設けられ、その外延は、有機ＥＬ素子２０と接着部材３０との間に設定される。すなわち光反射層１４は、平面視で、有機ＥＬ素子２０に重なり、かつ、接着部材３０には重ならない位置に配置される。また、前述の乾燥剤３２は、平面視で、光反射板１４に重なる位置に配置される。これにより、乾燥剤３２を裏面側から見えなくすることができる。さらに、ＵＶ硬化型樹脂を接着剤として使用する場合に、裏面側からＵＶ光を照射すると、光反射層１４よってＵＶ光が遮蔽されるので、製造工程における乾燥剤３２の劣化を防止することができる。光反射層１４は、たとえば金属材料からなり、例えば真空蒸着法、スパッタリング法、めっき法などの薄膜形成技術により鏡面を有する。なお有機ＥＬ素子２０を覆う光反射層１４を設けた場合、照明パネル１の裏面側からは、第２の電極層ではなく、光反射層１４が鏡面として視認され、また有機ＥＬ素子２０の周囲領域Ａのうちで光反射層１４に重なる領域は、平面視で鏡面として視認される。
【００３６】
なお、他の実施形態として、光反射層１４は、第２の基板１２の有機ＥＬ素子２０側とは反対側に設けられていてもよい。
【００３７】
また、第１の基板１０上には、有機ＥＬ素子に接続される第１及び第２の配線が形成されている。第１の配線は、第１の電極層から接着部材に囲まれる領域の外に延在し、第２の配線は、第２の電極層から接着部材に囲まれる領域の外に延在する。本実施形態では、第１配線を陽極用配線４０といい、第２配線を陰極用配線４２という。陽極用配線４０及び陰極用配線４２は、光透過性を示す導電性薄膜であればとくに限定されないが、本実施形態では、有機ＥＬ素子２０の陽極層２１と同一の材料、すなわちＩＴＯ等の電気伝導性及び透明性を有する材料からなる。陽極用配線４０及び陰極用配線４２は、例えば薄膜形成技術により陽極層２１と一体的に形成され、例えばエッチング技術により、陽極層２１及び陽極用配線４０と陰極用配線４２とが分離される。これにより、陽極用配線４０と陽極層２１とが接続され、陰極層２３を形成する際に、陰極用配線４２と陰極層２３とが接続される。また、有機ＥＬ層２２を形成する際に、陽極層２１と陰極用配線４２との間に有機ＥＬ層２２が介在してもよい。これによって陽極層２１と陰極用配線４２との電気的絶縁を確保することができる。
【００３８】
陽極用配線４０は、有機ＥＬ素子２０のうちの３辺から、有機ＥＬ素子２０の周囲領域Ａ、及び、接着部材の外周領域Ｂまで延在している。同様に、陰極用配線４２は、有機ＥＬ素子２０のうちの残りの１辺から、有機ＥＬ素子２０の周囲領域Ａ、及び、接着部材の外周領域Ｂまで延在している。
【００３９】
接着部材の外周領域Ｂにおいて、陽極用配線４０上には第１の補助電極に相当する陽極用補助電極５０が設けられており、陽極用補助電極５０上には陽極用配線基板６０が設けられている。また、接着部材の外周領域Ｂにおいて、陰極用配線４２上には第２の補助電極に相当する陰極用補助電極５２が設けられており、陰極用補助電極５２上には陰極用配線基板６２が設けられている。
【００４０】
陽極用補助電極５０、陰極用補助電極５２は、それぞれ接着部材の外延に沿って延在している。本実施形態では、陽極用補助電極５０は、陽極用配線４０に対応して有機ＥＬ素子２０の３辺にそれぞれ沿う方向に延在している。また、陰極用補助電極５２は、陰極用配線４２に対応して有機ＥＬ素子２０の残りの１辺に沿う方向に延在している。陽極用補助電極５０及び陰極用補助電極５２は、第１及び第２の配線よりも低抵抗な材料、例えば金属材料を含む。このように本実施形態では、接着部材の外延（すなわち周囲領域Ａの外延）が電気抵抗の低い陽極用補助電極５０、陰極用補助電極５２によって囲まれる。一方、陽極用配線基板６０及び陰極用配線基板６２は、例えば、ACF（Anisotropic Conductive Film）付フレキシブル基板（Flexible Printed Circuits：ＦＰＣ）である。ACFは陽極用補助電極５０及び陰極用補助電極５２と陽極用配線基板６０及び陰極用配線基板６２との間に配置され、圧力と温度を加えることにより、陽極用補助電極５０及び陰極用補助電極５２と陽極用配線基板６０及び陰極用配線基板６２をそれぞれ接着すると同時に電気的な接続を行っている。
【００４１】
陽極用配線基板６０には、例えば半田等からなる接続部剤６５を用いて、陽極用外部引き出し配線７０が接続されている。一方、陰極用配線基板６２には、例えば半田等からなる接続部剤６５を用いて、陰極用外部引き出し配線７２が接続されている。
【００４２】
また、接着部材の外周領域Ｂには、フレーム８０が設けられている。フレーム８０は、不透明な樹脂材料からなり、陽極用補助電極５０、陽極用配線基板６０、陽極用外部引き出し配線７０、陰極用補助電極５２、陰極用配線基板６２、及び、陰極用外部引き出し配線７２を覆っている。フレーム８０の１つの角部から、陽極用外部引き出し配線７０及び陰極用外部引き出し配線７２が外部へ引き出されている。
【００４３】
本実施形態の照明パネル１によれば、陽極用配線（第１の配線）４０、陰極用配線（第２の配線）４２、及び、接着部材３０が光透過性を示すので、有機ＥＬ素子２０の周囲領域Ａを全て透明にすることができる。したがって、特許文献１に記載の照明パネルのように、電気配線及び接着部材を目隠しするための部材を設ける必要がなく、電気配線及び接着部材による照明パネルのデザインの幅の制限を低減することができる。また、特許文献１に記載の照明パネルのように、有機ＥＬ素子の周囲領域に透明部分を得るために、透明アクリル板を取り付ける必要がない。
【００４４】
なお、有機ＥＬ素子２０の周囲領域Ａの透明化により、例えば照明パネルを空間に単独で吊り下げて設置する場合、有機ＥＬ素子２０の周囲領域Ａを通して別の照明パネル及び背景が見え、照明パネルが空間に浮き上がって設置されているようにみえるという効果も得られる。
【００４５】
ここで、有機ＥＬ素子の発光面側の電極には光透過性を示す電極が用いられるが、有機ＥＬ素子に電流を供給するための配線としては電気抵抗が小さい配線が用いられることが一般的である。このような電気抵抗の小さい配線は通常は不透明であるが、本願発明者らは、有機ＥＬ素子に電流を供給するための配線として、あえて電気抵抗が比較的に大きい光透過性を示す配線を用いることに着目している。
【００４６】
また、本実施形態の照明パネル１によれば、有機ＥＬ素子２０の陰極層（第２の電極層）２３には光反射性を示す電極層が用いられるので、陰極層２３の両面を鏡面とすることができる。したがって、発光時には照明パネル１の裏面側が鏡面となり、発光面側は発光状態となる。他方、消光時には照明パネル１の発光面側からも陰極層２３が鏡面として視認されるため、両面（発光面及び裏面）が鏡面となり、デザイン性に優れた照明パネルを提供することができる。
【００４７】
また、陰極層２３の形状は、有機ＥＬ素子の形状や配線の形状などに依存するため、有機ＥＬ素子等の設計と無関係に設定することは難しいが、光反射層１４の鏡面をも利用することにより、照明パネルの鏡面のたとえば対称性を容易に高めることができる。
【００４８】
なお、この照明パネル１の両面鏡面構成により、照明パネルを複数配置する際、照明パネルが実際の数よりも多数にみえるという効果も得られる。
【００４９】
ところで、光透過性を示す陽極用配線（第１の配線）４０及び陰極用配線（第２の配線）４２は、比較的に大きい電気抵抗を有するので、電圧降下が大きくなる。この電圧降下によって、電力が供給される位置から離間するほど電圧が低下するため、それにともなって輝度が低下し、その結果、輝度むらが生じやすくなる。とくに有機ＥＬ素子の発光面積が大きくなるほど電圧降下の影響は大きくなる。
【００５０】
この点に関し、本実施形態の照明パネル１によれば、接着部材３０の外周領域Ｂに設けられ、陽極用配線４０及び陰極用配線４２にそれぞれ接続された陽極用補助電極（第１の補助電極）５０及び陰極用補助電極（第２の補助電極）５２が、接着部材３０の外延に沿って延在し、陽極用配線４０及び陰極用配線４２よりも低抵抗な材料を含むので、周囲領域の外延を略等電圧にし、周囲領域の外延から等方的に電力を供給することができ、輝度むらを低減することができる。
【００５１】
また、本実施形態の照明パネル１によれば、陽極用外部引き出し配線（第１の外部引き出し配線）７０及び陰極用外部引き出し配線（第２の外部引き出し配線）７２と、陽極用補助電極（第１の補助電極）５０及び陰極用補助電極（第２の補助電極）５２との間にそれぞれ陽極用配線基板６０及び陰極用配線基板６２を介在することによって、陽極用外部引き出し配線を接続するための半田の接着性を高めることができる。
【００５２】
また、本実施形態の照明パネル１によれば、デザイン性を損ねる陽極用補助電極（第１の補助電極）５０、陽極用配線基板６０、陽極用外部引き出し配線（第１の外部引き出し配線）７０、陰極用補助電極（第２の補助電極）５２、陰極用配線基板６２、及び、陰極用外部引き出し配線（第２の外部引き出し配線）７２を覆う不透明なフレーム８０によってこれらを隠すことができ、デザイン性に優れた照明パネルを提供することができる。
【００５３】
また、本実施形態の照明パネル１によれば、陽極用外部引き出し配線（第１の外部引き出し配線）７０及び陰極用外部引き出し配線（第２の外部引き出し配線）７２が、フレーム８０の１つの角部から外部へ取り出されているので、デザイン性に優れた照明パネルを提供することができる。
【００５４】
なお、本発明は上記した本実施形態に限定されることなく種々の変形が可能である。例えば、本実施形態では、陽極用配線（第１の配線）４０全体、及び、陰極用配線（第２の配線）４２全体を、光透過性を示す部材によって構成したが、陽極用配線４０のうちの少なくとも周囲領域Ａに対応する部分、及び、陰極用配線４２のうちの少なくとも周囲領域Ａに対応する部分が光透過性を示す部材によって構成されていればよい。
【００５５】
また、本実施形態では、有機ＥＬ素子２０の陽極層（第１の電極層）２１、陽極用配線４０、及び、陰極用配線（第２の配線）４２をＩＴＯから形成したが、陽極層２１、陽極用配線４０、及び、陰極用配線４２としては、光透過性を阻害しない程度に、メッシュ状の金属細線をＩＴＯ薄膜等の光透過性を示す導電性薄膜上に形成してもよい。
【００５６】
また、本実施形態において、乾燥剤３２、光反射層１４は必ずしも備えられなくてもよい。この場合、有機ＥＬ素子２０の陰極層（第２の電極層）２３によって、照明パネルの両面鏡面構成を実現可能である。
【００５７】
また、本実施形態では、正方形状の照明パネルを例示したが、本発明の特徴は、矩形などの他の四角形状、多角形状、円形状などの種々の形態の照明パネルに適用可能である。
【００５８】
また、本実施形態では、有機ＥＬ素子として発光層と一対の電極とを有する形態を例示したが、有機ＥＬ素子としては、電子輸送層、正孔輸送層、電子注入層、正孔注入層等の種々の公知の機能層をも有する形態であってもよい。
【符号の説明】
【００５９】
１…照明パネル、１０…第１の基板、１２…第２の基板、１４…光反射板、２０…有機ＥＬ素子、２１…陽極層（第１の電極層）、２２…有機ＥＬ層、２３…陰極層（第２の電極層）、３０…接着部材、３２…乾燥剤、４０…陽極用配線（第１の配線）、４２…陰極用配線（第２の配線）、５０…陽極用補助電極（第１の補助電極）、５２…陰極用補助電極（第２の補助電極）、６０…陽極用配線基板、６２…陰極用配線基板、６５…接続部剤、７０…陽極用外部引き出し配線（第１の外部引き出し配線）、７２…陰極用外部引き出し配線（第２の外部引き出し配線）、８０…フレーム、Ａ…有機ＥＬ素子の周囲領域、Ｂ…接着部材の外周領域。
【図１】
2015164096.tif 000003
【図２】
2015164096.tif 000004
【図３】
2015164096.tif 000005
【図４】
2015164096.tif 000006